(57)【特許請求の範囲】
【請求項１】
７ＫＨｚを超える印刷周波数でインクを吐出するインクジェットプリンター用インク組成物であって、顔料、分散剤、植物油、炭化水素系溶剤を含み、表面張力が３２ｍＮ／ｍ以上であり、前記炭化水素系溶剤が、下記一般式（Ｉ）：
【化１】
0003933489.tif 000005
（式中、Ｒ1、Ｒ2、Ｒ3は独立に水素原子または炭素原子数１〜４の低級アルキル基を表す）で示される化合物を主成分とするものであり、該化合物がインク組成物全量中に４０重量％以上含有され、前記炭化水素系溶剤と前記植物油を（９９：１）〜（７０：３０）の重量比率で含有し、前記分散剤が、アミン化合物と１２−ヒドロキシステアリン酸の自己縮合物との反応物であることを特徴とする油性インクジェット記録用インク組成物。
【請求項２】
前記顔料が、平均粒径１５０ｎｍ以下のものである請求項１記載の油性インクジェット記録用インク組成物。
【請求項３】
体積抵抗値が１０8Ωｃｍ以上である請求項１または２記載の油性インクジェット記録用インク組成物。
【請求項４】
請求項１〜３のいずれかに記載の油性インクジェット記録用インク組成物を、インクジェットプリンターで７ｋＨｚを超える印刷周波数で吐出して被印刷体に印刷することを特徴とする印刷物の製造方法。
【発明の詳細な説明】
【０００１】
【発明の属する技術分野】
本発明は、油性インクジェット記録用インク組成物およびそれを用いる印刷物の製造方法に関する。
【０００２】
【従来の技術】
インクジェット記録方式の分野においては、濃度低下やにじみがなく、鮮明な画像をより高速で安定的に印刷するために、装置およびインクの両面から研究が行なわれている。
【０００３】
現在、印刷装置としてはピエゾ振動素子を用いる方式、サーマルヘッドを利用する方式、電気的吸引力を利用する方式などが知られている。
【０００４】
その中でも、ピエゾ振動素子を利用する方式は、記録ヘッドの装置の構成が簡単で、他の方式と比較して、インクに対する電気的および熱的性能の制限が少ないという点から有用性が高いものである。
【０００５】
一方、インクジェット記録方式に用いるインクとしては、染料タイプと顔料タイプとがある。染料タイプのインクは、保存安定性や吐出安定性はよいが、画像の耐水性および堅牢性に劣るという問題がある。
【０００６】
顔料タイプのインクとしては顔料を飽和炭化水素系溶剤に分散した油性インクが知られているが、染料タイプのインクに較べて、画像の耐水性や堅牢性はよいが、顔料の分散性不良に起因して保存安定性や吐出安定性に劣り、信頼性が低いという問題がある。そこで、顔料タイプのインクのこのような問題点を解決するために、つぎのような試みがなされている。
【０００７】
まず、顔料の分散性不良を改善するためには、その系に適した分散剤を使用する。
【０００８】
また、吐出不良の原因であるノズル詰まりを少なくするためには、飽和炭化水素系溶剤として表面張力の高いシクロパラフィン（ナフテン）を含有させることが効果的である。しかし、シクロパラフィンを含むインクから得られた印刷物を市販のクリアファイルなどで保管すると、クリアファイルが膨潤してたわみ（コックリング）が発生するという問題がある。
【０００９】
吐出不良の原因であるノズル詰まりを少なくするための別の対応策として、低融点・高沸点であるイソパラフィンを多量に含有させて、低温で液状を維持し、かつ蒸発乾燥によるノズル詰まりを防止することが試みられている。しかし、この場合、インク自体の表面張力が低下してしまい、それが原因でノズル詰まりが生じやすくなり、吐出不良が起こってしまう。
【００１０】
そこで、本発明者らは、顔料、分散剤、溶剤とからなり、該溶剤として、飽和炭化水素系溶剤（好ましくはシクロパラフィンとイソパラフィンを併用する）１００重量部に対して植物油１０〜１００重量部を含有する油性インクジェット記録用インクを提案した（国際公開ＷＯ  ００／７１６２７号パンフレット）。この油性顔料インクは、印字環境の温度変化に左右されずに、良好な吐出安定性と保存安定性を有し、さらにコックリングの発生の少ないものである。
【００１１】
しかしながら、インクジェット記録方式においても高速印字が求められるようになっており、前記の油性顔料インクでは高速対応性が必ずしも充分でない。
【００１２】
特表平１０−５０７４８７号公報では、脂肪族炭化水素系溶剤にオレイルアルコールなどの極性の高い溶剤を併用して濡れ性を調節し、吐出後インクをノズル先端から内部に後退させて乾燥を防止し、滲みのない安定で高速の印字をする方法が開示されている。しかしながら、脂肪族炭化水素系溶剤と極性の高い溶剤を併用すると、インクの保存安定性がますます低下するという問題がある。さらに、該公報では、ピエゾ振動素子を駆動するための電気信号の周波数（以下、印刷周波数という）を順次高めて７ｋＨｚまでの高速吐出性を評価しているが、最近では７ｋＨｚを超える高速吐出性が求められている。
【００１３】
【発明が解決しようとする課題】
本発明は、前記従来技術の問題点に鑑み、印字環境の温度変化に左右されずに、良好な吐出安定性と保存安定性を有し、さらに７ｋＨｚを超える印刷周波数での高速吐出性を有する油性インクジェット記録用インクを提供することを目的する。
【００１４】
【課題を解決するための手段】
本発明者らは、印字環境の温度変化に左右されずに、良好な吐出安定性と保存安定性を有するという基本性能を持ち合わせたうえで、高速吐出性を有する顔料タイプの油性インクジェット記録用インクを提供することを課題として研究を重ねた結果、顔料、分散剤、植物油、炭化水素系溶剤からなり、表面張力が３２ｍＮ／ｍ以上であることを特徴とする油性インクジェット記録用インク組成物によって、前記課題が達成されることを見出し、本発明を完成するに至った。
【００１５】
すなわち本発明は、つぎの油性インクジェット記録用インク組成物およびそれを用いる印刷物の製造方法を提供する。
【００１６】
（１）７ＫＨｚを超える印刷周波数でインクを吐出するインクジェットプリンター用インク組成物であって、顔料、分散剤、植物油、炭化水素系溶剤からなり、表面張力が３２ｍＮ／ｍ以上であることを特徴とする油性インクジェット記録用インク組成物。
【００１７】
（２）前記炭化水素系溶剤が、下記一般式（Ｉ）：
【００１８】
【化２】
0003933489.tif 000002
【００１９】
（式中、Ｒ1、Ｒ2、Ｒ3は独立に水素原子または炭素原子数１〜４の低級アルキル基を表す）で示される化合物を主成分とするものであり、該化合物がインク組成物全量中に４０重量％以上含有される前記（１）に記載の油性インクジェット記録用インク組成物。
【００２０】
（３）前記炭化水素系溶剤と前記植物油を（９９：１）〜（７０：３０）の重量比率で含有する前記（１）または（２）に記載の油性インクジェット記録用インク組成物。
【００２１】
（４）前記分散剤が、アミン化合物と１２−ヒドロキシステアリン酸の自己縮合物との反応物である前記（１）〜（３）のいずれかに記載の油性インクジェット記録用インク組成物。
【００２２】
（５）前記顔料が、平均粒径１５０ｎｍ以下のものである前記（１）〜（４）のいずれかに記載の油性インクジェット記録用インク組成物。
【００２３】
（６）体積抵抗値が１０8Ωｃｍ以上である前記（１）〜（５）のいずれかに記載の油性インクジェット記録用インク組成物。
【００２４】
（７）前記（１）〜（６）のいずれかに記載の油性インクジェット記録用インク組成物を、インクジェットプリンターで７ＫＨｚを超える印刷周波数で吐出して被印刷体に印刷することを特徴とする印刷物の製造方法。
【００２５】
【発明の実施の形態】
以下に本発明をより詳細に説明する。
【００２６】
本発明で用いられる顔料としては、一般のインクジェット記録用インクで使用できる各種の無機顔料および有機顔料が使用可能であるが、とくに有用なものとして、Ｃ．Ｉ．ピグメントイエロー９３、９５、１０９、１１０、１２０、１２８、１３８、１３９、１５１、１５４、１５５、１７３、１８０、１８５、１９３、Ｃ．Ｉ．ピグメントオレンジ３４、３６、４３、６１、６３、７１、Ｃ．Ｉ．ピグメントレッド１２２、２０２、Ｃ．Ｉ．ピグメントレッド１２２と２０２との固溶体、Ｃ．Ｉ．ピグメントブルー１５、Ｃ．Ｉ．ピグメントバイオレット１９、２３、３３、Ｃ．Ｉ．ピグメントブラック７などをあげることができる。
【００２７】
インクジェット記録方式では、イエロー、マゼンタ、シアン、ブラックの４色を基本として、最近ではオレンジ、グリーンを加えた６色、さらには、ライトマゼンタ、ライトブルーを加えた８色のインクを用いてカラー画像などが形成されている。
【００２８】
これらの色相を得るために、さらに上記の顔料の中でも耐候性の良好なものが好適であり、とりわけ、イエローとしては、Ｃ．Ｉ．ピグメントイエロー１３８、１５４、１８０、１８５、マゼンタとしては、Ｃ．Ｉ．ピグメントレッド１２２、２０２、Ｃ．Ｉ．ピグメントバイオレット１９、シアンとしては、Ｃ．Ｉ．ピグメントブルー１５、ブラックとしては、Ｃ．Ｉ．ピグメントブラック７のとくに酸性もしくは中性顔料、オレンジとしては、Ｃ．Ｉ．ピグメントオレンジ４３、６４、７１、グリーンとしては、Ｃ．Ｉ．ピグメントグリーン７、３６がより好適である。
【００２９】
顔料の粒径は、インクの色濃度、色相、インク安定性などの観点から、平均粒径で１５０ｎｍ以下が好ましい。
【００３０】
顔料の使用量が少なくなりすぎるとインクの色濃度が低下し、一方多くなりすぎるとインク粘度や流動性の面から印刷が困難となる。これらの点から、顔料の好適な使用量は、インクジェット記録用インク組成物全量中に０．５〜３０重量％程度であり、より好適には１〜１０重量％程度である。
【００３１】
本発明において、溶剤中に顔料を分散させるために使用する分散剤としては、溶剤に可溶可能な各種顔料分散剤および高分子量の顔料分散用樹脂が使用できるが、好適な分散剤は、アミン化合物と１２−ヒドロキシステアリン酸自己縮合物との反応物であり、具体的には、ポリアリルアミンと１２−ヒドロキシステアリン酸自己縮合物との反応物；ポリエチレンポリアミンと１２−ヒドロキシステアリン酸自己縮合物との反応物、たとえば、市販品として、ゼネカ（株）製のソルスパース１３９４０など；ジアルキルアミノアルキルアミンと１２−ヒドロキシステアリン酸自己縮合物との反応物、たとえば、市販品として、ゼネカ（株）製のソルスパース１７０００、１８０００などをあげることができる。とくにポリアリルアミンと１２−ヒドロキシステアリン酸自己縮合物との反応物は、有機顔料に対する初期から長期に亘る保存期間中での顔料分散性が良好であり、さらにインクの吐出安定性の向上にも寄与するという点から好適である。
【００３２】
分散剤の使用量としては、顔料の使用量の０．１〜２倍程度（重量換算）が適量である。
【００３３】
本発明において用いる炭化水素系溶剤としては、下記一般式（Ｉ）：
【００３４】
【化３】
0003933489.tif 000003
【００３５】
（式中、Ｒ1、Ｒ2、Ｒ3は独立に水素原子または炭素原子数１〜４の低級アルキル基を表す）で示される化合物を主成分とするものが好ましい。一般式（Ｉ）におけるＲ1、Ｒ2、Ｒ3で表される炭素原子数１〜４の低級アルキル基としては、メチル、エチル、プロピル、イソプロピル、ブチル、イソブチル、ｓ−ブチル、ｔ−ブチルがあげられる。一般式（Ｉ）で示される化合物の具体例としては、１−フェニル−１−キシリルエタン、フェニルキシリルメタンなどがあげられる。これら化合物は単独で、または２種以上を組み合せて使用できる。炭化水素系溶剤として、一般式（Ｉ）で示される化合物を主成分とするものを用いることにより、インクの表面張力を高くし、７ｋＨｚを超える印刷周波数での吐出性が良好となる。
【００３６】
一般式（Ｉ）で示される化合物の使用量は、インク組成物全量中で４０重量％以上が好ましく、より好ましくは６０重量％以上である。該化合物の使用量が前記範囲未満では、７ｋＨｚを超える印刷周波数での吐出性が劣る傾向にある。
【００３７】
炭化水素系溶剤としては、その他に流動パラフィンを使用できる。ここで、流動パラフィンとは、比較的軽質の潤滑油成分を硫酸洗浄などによって高度に精製して得られる、主としてノルマルパラフィン、イソパラフィンおよび単環シクロパラフィンの３成分の混合物であり（日本薬局方において軽質流動パラフィンと呼ばれるものも含む）、その中でも単環シクロパラフィンを２０重量％以上含有するものが好適である。
【００３８】
そして、実質的に紫外線吸収性の不純物を含有しないレベルまで精製され、使用目的に応じて、日本薬局方における流動パラフィンの純度試験、日本国で定められた、食品添加物基準における流動パラフィンの純度試験、および化粧品原料基準における流動パラフィンの純度試験の少なくとも１つに合格しているものは、作業・衛生の面においてもより好適である。
【００３９】
これら３つの流動パラフィンの純度試験および基準値については、現在、最新のものとして、第十四改正日本薬局方、第７版食品添加物公定書、および厚生省告示第１８１号に基づく化粧品原料基準に収載されており、いずれのものにも合格した流動パラフィンとしては、たとえば、モレスコホワイトＰ−４０、モレスコホワイトＰ−５５（以上、松村石油研究所（株）製）、流動パラフィンＮｏ．４０−Ｓ、流動パラフィンＮｏ．５５−Ｓ（以上、中央化成（株）製）などをあげることができる。
【００４０】
さらに、イソパラフィン系溶剤、シクロパラフィン系溶剤も併用可能であり、イソパラフィン系としては、イソデカン、イソドデカン、および市販のイソパラフィン系混合物、たとえばアイソパーＥ、アイソパーＧ、アイソパーＨ、アイソパーＬ、アイソパーＭ（以上、いずれもエクソン化学（株）製）、シェルゾール（シェルオイル（株）製）、ソルトロール（フィリップス石油（株）製）、ベガゾール（モービル石油（株）製）、ＩＰソルベント２８３５（出光石油化学（株）製）などをあげることができ、また、シクロパラフィン系溶剤としては、シクロオクタン、シクロデカン、デカリン、および市販のシクロパラフィンを含む混合物、たとえばエクソールＤ１３０、Ｄ１４０（いずれもエクソン化学（株）製）などをあげることができる。
【００４１】
さらに、本発明では、顔料分散剤の溶解性を向上し、さらに顔料の分散性やインクの吐出安定性を向上させる溶剤成分として植物油を使用する。使用可能な植物油としては、大豆油、綿実油、ヒマワリ油、ナタネ油、カラシ油、ゴマ油、コーン油等の半乾性油、オリーブ油、落下生油、ツバキ油等の不乾性油、亜麻仁油、サフラワー油などの乾性油をあげることができ、これらの植物油は単独で、または２種以上を組み合せて使用できる。
【００４２】
とくに性状の点からは、酸化による重合性の低い半乾性油や不乾性油であって、その中でも、より低粘度なナタネ油、オリーブ油、また、安価な大豆油がより好ましい。
【００４３】
本発明で用いる炭化水素系溶剤と植物油の使用割合は、重量比率で（９９：１）〜（７０：３０）の範囲が好ましい。炭化水素系溶剤の割合が前記範囲未満では、７ｋＨｚを超える印刷周波数での吐出性が劣る傾向にあり、植物油の割合が前記範囲未満では、吐出安定性および保存安定性が低下する傾向にある。
【００４４】
本発明においては、被印刷体への固着性などの改善のために、通常の油性インクジェット記録用インクで使用されている各種バインダー樹脂を添加することができ、とくに再溶解性に効果のある石油樹脂やロジン変性マレイン酸樹脂などは好適である。また、顔料の分散に効果のある顔料誘導体や界面活性剤、さらに粘度調整剤などの各種添加剤を配合することもできる。
【００４５】
これらの材料を用いてインクジェット記録用インクを製造する方法としては、たとえば、炭化水素系溶剤の一部に分散剤を溶解させて分散剤溶液とし、これに、さらに顔料、必要に応じて界面活性剤などを混合攪拌し、練肉機で練肉してベースインクを調製し、このベースインクに、炭化水素系溶剤の残り、植物油、さらに必要に応じてその他の添加剤を添加混合する方法などが利用できるが、これらに限定されるものではない。
【００４６】
前記練肉機としては、たとえば、湿式サーキュレーションミル、ビーズミル、ボールミル、サンドミル、アトライター、ロールミル、アジテータ、ヘンシェルミキサー、コロイドミル、超音波ホモジナイザー、超高圧ホモジナイザー、パールミルなどをあげることができ、とくにインクジェット記録用インクでは、通常の印刷インキと比較して、より微細に顔料を分散させる必要があることから、前記機種の中でも湿式サーキュレーションミルが好ましい。
【００４７】
本発明の油性インクジェット記録用インク組成物は、２５℃における表面張力が３２ｍＮ／ｍ以上であり、この範囲にあるインクは、速やかにノズル内に充填され、７ｋＨｚを超える印刷周波数での吐出性が良好であり、しかもノズル詰まりも少なくすることができる。
【００４８】
また、低温における保存安定性などを良好にするという観点から、インクの凝固点は−１０℃以下であるのが好適である。さらに、インクの粘度としては、使用時の環境温度において、１．０〜３０．０ｍＰａ・ｓ、とくに５〜２０．０ｍＰａ・ｓが好適であり、粘度がこの範囲にあると、高速印刷において吐出追随性や吐出安定性も良好である。
【００４９】
これらの物性値は、最終的なインクの組成物として有していればよいが、とくに主要成分である炭化水素系溶剤に支配される物性値であることから、用いる炭化水素系溶剤（混合物の場合は混合物として）として、前記の表面張力および粘度を有し、さらに凝固点が−１０℃以下となるものを選択しておくことが望ましい。
【００５０】
なお、本発明の油性インクジェット記録用インク組成物は、１０8Ωｃｍ以上の体積抵抗値を有するものが好ましいが、帯電剤を含有しないものである。従って、帯電させたインク液滴と電極との間に発生する電気的吸引力を利用して、連続的に液滴を飛翔させるインクジェット記録方法で使用するインクとは、本質的に要求される吐出特性が異なるものである。
【００５１】
本発明の油性インクジェット記録用インク組成物は、ピエゾ振動素子を利用してインクを吐出する、オンデマンド・インクジェット記録方式に適しており、このタイプのインクジェットプリンターにおいて７ｋＨｚを超える印刷周波数での吐出性が良好であり、かつ初期から長期に亘る保存においても良好な顔料分散性を有し、低温から高温までの幅広い温度範囲において良好な吐出安定性を有するものである。
【００５２】
さらに本発明は、前記油性インクジェット記録用インク組成物を、ピエゾ振動素子を利用する記録ヘッドを備えたオンデマンド・インクジェット記録方式のプリンターで７ｋＨｚを超える印刷周波数で吐出して被印刷体に印刷することを特徴とする印刷物の製造方法を提供する。使用する本発明の油性インクジェット記録用インク組成物が、７ｋＨｚを超える印刷周波数での吐出性が優れているので、高速印字が可能となる。
【００５３】
被印刷体としては、インクジェット記録方式で一般に使用されているものがいずれも使用でき、たとえば普通紙、インク受理層を設けた専用紙、プラスチックフィルム、インク受理層を設けたプラスチックフィルムなどがあげられる。
【００５４】
【実施例】
以下、実施例でもって本発明をより具体的に説明するが、本発明はこれら実施例に限定されるものではない。なお、とくに断らない限り、本実施例における「部」および「％」は、それぞれ「重量部」および「重量％」を表わす。
【００５５】
実施例１〜２および比較例１〜２
＜ベースインクの製造＞
分散剤として、ポリアリルアミンと１２−ヒドロキシステアリン酸自己縮合物との反応物３部を流動パラフィンＮｏ．４０−Ｓ（中央化成（株）製）１２部に溶解し、これに顔料としてファストゲン  スーパーレッド  ７０６１Ｂ（大日本インキ化学工業（株）製）５部を攪拌混合した後、ビーズミルを用いて練肉してベースインクを得た。
【００５６】
＜インクジェット記録用インクの製造＞
前記ベースインク２０部に、表１の配合に従い各種材料を撹拌混合して、実施例１〜２、比較例１〜２のインクジェット記録用インクを得た。表１中の各成分の配合量は部数である。
【００５７】
表１におけるＮｏ．５５−Ｓは流動パラフィン（中央化成（株）製）である。１−フェニル−１−キシリルエタンとしては日本石油化学（株）製ＳＡＳ−２９６を使用した。
【００５８】
＜物性測定＞
前記の各インクジェト記録用インクについて、粘度と表面張力を測定した。結果を表１に示す。
【００５９】
・粘度
各インクジェット記録用インクの２５℃における粘度を粘度計（東機産業（株）製ＲＥ１００Ｌ型）を用いて測定した。
【００６０】
・表面張力
各インクジェット記録用インクの２５℃における表面張力を表面張力計（動的濡れ性試験機、レスカ社製）を用いて測定した。
【００６１】
＜性能評価＞
各インクジェット記録用インクについて、下記の性能評価を行った。結果を表１に示す。
【００６２】
・印字品質
ピエゾ振動素子を利用する記録ヘッドで７ｋＨｚの印刷周波数でインクを吐出するインクジェット記録方式の印刷装置を９ｋＨｚの印刷周波数でインクを吐出するように改造したテスト用印刷装置を用いて、インクジェット記録用塗工紙（三菱製紙（株）製）上に直線の細罫線を印字し、その細罫線の直線性を光学顕微鏡（キーエンス社製、１００倍）を用いて観察した。
Ａ：直線になっている。
Ｂ：直線に乱れが認められる。
【００６３】
・インク吐出量
前記テスト用印刷装置のインク吐出ノズルの先にシャーレを置き、印刷装置を連続１時間駆動して９ｋＨｚの印刷周波数でインクをシャーレ中に吐出させて回収し、吐出されたインクの体積を測定した。一方、改造前の印刷装置を用いて、これを連続１時間駆動して７ｋＨｚの印刷周波数で比較例１のインクをシャーレ中に吐出させて回収し、吐出されたインクの体積を測定した。実験は２０℃の雰囲気下で行なった。比較例１のインクを７ｋＨｚの印刷周波数で吐出した場合のインクの体積を１００とし、これに対する９ｋＨｚの印刷周波数で吐出した場合のインクの体積の比率（インク吐出体積比）を求めた。
【００６４】
・低温保存安定性
各インクジェット記録用インクをガラス瓶にとり密栓して、０℃で１ヵ月、さらに−１０℃で１ヵ月間経時させた後の、沈降物の有無とその状態から低温保存安定性を評価した。
Ａ：沈降物が全く生じない。
Ｂ：沈降物は生じるが、軽く振ればなくなる。
Ｃ：激しく振っても沈降物がなくならない。
【００６５】
・常温吐出安定性
一般的な室内環境と考えられる２０℃の温度雰囲気下で、前記テスト用印刷装置を用いて、各インクジェット記録用インクを専用光沢紙（ロール紙）に連続ベタ印刷し、Ａ０に相当するサイズでカットして印刷物１００枚を得た。印刷がされない部分（ほぼ全てのノズルからインクが吐出されなくなり、印字がされない部分をいう）が印刷開始から何枚目で発生したかで常温吐出安定性を評価した。Ａ：印刷されない部分が７１枚目以降に発生するか、印刷されない部分が１００枚目まで発生しない。
Ｂ：印刷されない部分が５１枚目〜７１枚目で発生する。
Ｃ：印刷されない部分が３１枚目〜５０枚目で発生する。
Ｄ：印刷されない部分が３０枚目までに発生する。
【００６６】
・低温吐出安定性
温度を５℃とした以外は前記の常温吐出安定性と同じ評価方法、同じ評価基準で、各インクジェット記録用インクの低温吐出安定性を評価した。
【００６７】
なお、上記の評価において、常温および低温吐出安定性については、ＡおよびＢランクを良好な性能、Ｃランクを使用上問題のない性能、Ｄランクを使用に差し支える性能、その他の項目については、Ａランクを良好な性能、Ｂランクを使用上問題のない性能、Ｃランクを使用に差し支える性能と判断した。
【００６８】
【表１】
0003933489.tif 000004
【００６９】
【発明の効果】
以上、実施例と比較例をあげて具体的に示したように、本発明の油性インクジェット記録用インク組成物は、高速吐出性に優れ、かつ初期から長期に亘って良好な保存安定性を有し、さらに低温から高温に亘る温度範囲において良好な吐出安定性を有する。